(57)【要約】【課題】透析液ラインに、新鮮透析液の供給と使用済透析液の排出とを同時に行い、血液浄化器に対して脈動の無い新鮮透析液の供給が可能な血液浄化装置を提供する。【解決手段】新鮮透析液供給ライン４１に設けられた一対のプランジャポンプ５１，５２は、プランジャポンプ５１による新鮮透析液の吐出と、プランジャポンプ５２による新鮮透析液の吐出と、を交互に連続して行う。使用済透析液排出ライン４２に設けられた一対のプランジャポンプ５３，５４は、プランジャポンプ５３による使用済透析液の吸込みと、プランジャポンプ５４による使用済透析液の吸込みと、を交互に連続して行うものである。一対のプランジャポンプ５１，５２による新鮮透析液の吐出と、一対のプランジャポンプ５３，５４による使用済透析液の吸込みと、は同時に行われるように同期されている。【選択図】図１
2015217027.tif 000002
【特許請求の範囲】
【請求項１】
血液浄化器と、当該血液浄化器に接続された血液回路と、当該血液回路において血流を発生させるための血液ポンプと、当該血液浄化器に対してそれぞれ少なくとも一部が並列に接続された新鮮透析液供給ライン及び使用済透析液排出ラインを有する透析液ラインと、並列の新鮮透析液供給ライン及び並列の使用済透析液排出ラインにおいてそれぞれ一対が設けられたプランジャポンプと、を具備する血液浄化装置であって、
上記並列の新鮮透析液供給ラインにそれぞれ設けられた一対のプランジャポンプは、一対のうちの一方のプランジャポンプによる新鮮透析液の吐出と、他方のプランジャポンプによる新鮮透析液の吐出と、を交互に連続して行うものであり、
上記並列の使用済透析液排出ラインに設けられた一対のプランジャポンプは、一対のうちの一方のプランジャポンプによる使用済透析液の吸込みと、他方のプランジャポンプによる使用済透析液の吸込みと、を交互に連続して行うものであり
上記新鮮透析液供給ラインに設けられた一対のプランジャポンプによる新鮮透析液の吐出と、上記使用済透析液排出ラインに設けられた一対のプランジャポンプによる使用済透析液の吸込みと、が同時に行われるように同期されている血液浄化装置。
【請求項２】
上記並列の使用済透析液排出ラインに設けられた一対のプランジャポンプのうちの少なくとも一方のプランジャポンプのストロークが可変である請求項１に記載の血液浄化装置。
【請求項３】
同期用モータと、
上記同期用モータから駆動力を付与されて回転する第１ドライブ継ぎ手と、を更に備え、
上記並列の新鮮透析液供給ラインに設けられた一対のプランジャポンプは、上記同期用モータの回転軸と直交する平面に対して鏡対称に配置されており、上記第１ドライブ継ぎ手により上記同期用モータに接続された請求項１又は２に記載の血液浄化装置。
【請求項４】
同期用モータと、
上記同期用モータから駆動力を付与されて回転する第２ドライブ継ぎ手と、を更に備え、
上記並列の使用済透析液排出ラインに設けられた一対のプランジャポンプは、上記同期用モータの回転軸と直交する平面に対して鏡対称に配置されており、上記第２ドライブ継ぎ手により上記同期用モータに接続された請求項１から３のいずれかに記載の血液浄化装置。
【請求項５】
上記並列の新鮮透析液供給ラインに設けられた一対のプランジャポンプと、上記並列の使用済透析液排出ラインに設けられた一対のプランジャポンプと、は、上記同期用モータの回転軸と直交する平面に対して鏡対称に配置されている請求項４に記載の血液浄化装置。
【請求項６】
同期用モータと、
上記同期用モータから駆動力を付与されて回転する第２ドライブ継ぎ手と、を更に備え、
上記並列の使用済透析液排出ラインに設けられた一対のプランジャポンプは、上記第２ドライブ継ぎ手により上記同期用モータに接続されており、
上記並列の使用済透析液排出ラインにそれぞれ設けられた一対のプランジャポンプのうちストロークが可変のプランジャポンプは、プランジャの軸が上記同期用モータの回転軸に対して傾斜する角度を調節可能なものである請求項２に記載の血液浄化装置。
【請求項７】
上記プランジャの軸の傾斜角度を変化させる角度調節モータを更に具備する請求項６に記載の血液浄化装置。
【発明の詳細な説明】
【技術分野】
【０００１】
本発明は、透析液ラインにプランジャポンプが配設されてなる血液浄化装置に関する。より詳しくは、本発明は、プランジャポンプを利用して、血液浄化器に対して、脈動の無い新鮮透析液の供給を可能とする血液浄化装置に関する。
【背景技術】
【０００２】
従来、腎不全の患者や、術後の薬液注入によって水分過多症になった患者などの重篤な状態を改善するために、血液浄化装置を使用する血液透析や血液濾過が行われている。血液浄化器への新鮮透析液の供給、及び血液浄化器からの使用済透析液の排出をするために、従来、新鮮透析液の供給と使用済透析液の排出とを同時に行える往復動ポンプを利用したものが知られている（特許文献１、特許文献２）。
【０００３】
また、往復動ポンプとして透析液中の空気を抜くためのバルブを必要としないプランジャポンプも提案されている（特許文献３、特許文献４）。
【先行技術文献】
【特許文献】
【０００４】
【特許文献１】特許第３３２８０７８号公報
【特許文献２】特開２００３−１９９８２０号公報
【特許文献３】特開２００１−２４８５４３号公報
【特許文献４】特開２００１−２３４８５０号公報
【発明の概要】
【発明が解決しようとする課題】
【０００５】
特許文献１，２に記載された往復動ポンプは、除水や逆濾過を行うために、別途除水ポンプや加圧ポンプを必要とするので、コストが高くなるという問題があった。特許文献３，４に記載された往復動ポンプは、新鮮透析液の供給と使用済透析液の排出とを同時に行えるものではない。したがって、これらを同時に行うようにするための改良が必要である。また、血液浄化装置に対して、脈動の無い新鮮透析液の供給を可能とするプランジャポンプが望まれる。
【０００６】
本発明は、上記事情に鑑みてなされたものであり、透析液ラインに、新鮮透析液の供給と使用済透析液の排出とを同時に行い、血液浄化器に対して脈動の無い新鮮透析液の供給が可能な血液浄化装置を提供することを目的とする。
【課題を解決するための手段】
【０００７】
(1)  本発明に係る血液浄化装置は、血液浄化器と、当該血液浄化器に接続された血液回路と、当該血液回路において血流を発生させるための血液ポンプと、当該血液浄化器に対してそれぞれ少なくとも一部が並列に接続された新鮮透析液供給ライン及び使用済透析液排出ラインを有する透析液ラインと、並列の新鮮透析液供給ライン及び並列の使用済透析液排出ラインにおいてそれぞれ一対が設けられたプランジャポンプと、を具備する。上記並列の新鮮透析液供給ラインにそれぞれ設けられた一対のプランジャポンプは、一対のうちの一方のプランジャポンプによる新鮮透析液の吐出と、他方のプランジャポンプによる新鮮透析液の吐出と、を交互に連続して行うものである。上記並列の使用済透析液排出ラインに設けられた一対のプランジャポンプは、一対のうちの一方のプランジャポンプによる使用済透析液の吸込みと、他方のプランジャポンプによる使用済透析液の吸込みと、を交互に連続して行うものである。上記新鮮透析液供給ラインに設けられた一対のプランジャポンプによる新鮮透析液の吐出と、上記使用済透析液排出ラインに設けられた一対のプランジャポンプによる使用済透析液の吸込みと、が同時に行われるように同期されている。
【０００８】
並列された新鮮透析液供給ラインの一対のプランジャポンプにおいて、一方のプランジャポンプからの新鮮透析液の吐出と、他方のプランジャポンプからの新鮮透析液の吐出とが交互に連続して行われ、また、並列された使用済透析液排出ラインの一対のプランジャポンプにおいて、一方のプランジャポンプへの使用済透析液の吸込みと、他方のプランジャポンプへの使用済透析液の吸込みとが交互に連続して行われ、かつ新鮮透析液の吐出と使用済透析液の吸込とが同時に起こるように同期されているので、血液浄化器への新鮮透析液の供給と、血液浄化器からの使用済透析液の排出とが同時に行われる。これにより、血液浄化器に対して、脈動の無い新鮮透析液が供給される。
【０００９】
(2)  好ましくは、上記並列の使用済透析液排出ラインに設けられた一対のプランジャポンプのうちの少なくとも一方のプランジャポンプのストロークが可変である。
【００１０】
これにより、新鮮透析液供給ラインに設けられたプランジャポンプのストロークより、使用済透析液排出ラインに設けられたプランジャポンプのストロークが小さくなるように調節すれば、血液浄化器において逆濾過を行うことができる。また、新鮮透析液供給ラインに設けられたプランジャポンプのストロークより、使用済透析液排出ラインに設けられたプランジャポンプのストロークが大きくなるように調節すれば、血液浄化器において除水を行うことができる。
【００１１】
(3)  好ましくは、同期用モータと、上記同期用モータから駆動力を付与されて回転する第１ドライブ継ぎ手と、を更に備え、上記並列の新鮮透析液供給ラインに設けられた一対のプランジャポンプは、上記同期用モータの回転軸と直交する平面に対して鏡対称に配置されており、上記第１ドライブ継ぎ手により上記同期用モータに接続されている。
【００１２】
一対のプランジャポンプが、同期用モータの回転軸と直交する平面に関して鏡対称に配設され、同期用モータの回転軸と第１ドライブ継ぎ手を介してそれぞれ接続されているので、一対のプランジャポンプは位相が１８０度ずれた関係となる。したがって、一対のプランジャポンプの位相を調整しなくても、血液浄化器への新鮮透析液の供給を連続して交互に行うことができる。
【００１３】
(4)  好ましくは、同期用モータと、上記同期用モータから駆動力を付与されて回転する第２ドライブ継ぎ手と、を更に備え、上記並列の使用済透析液排出ラインに設けられた一対のプランジャポンプは、上記同期用モータの回転軸と直交する平面に対して鏡対称に配置されており、上記第２ドライブ継ぎ手により上記同期用モータに接続されている。
【００１４】
一対のプランジャポンプが、同期用モータの回転軸と直交する平面に関して鏡対称に配設され、同期用モータの回転軸と第２ドライブ継ぎ手を介してそれぞれ接続されているので、一対のプランジャポンプは位相が１８０度ずれた関係となる。したがって、一対のプランジャポンプの位相を調整しなくても、血液浄化器からの使用済透析液の排出を連続して交互に行うことができる。
【００１５】
(5)  好ましくは、上記並列の新鮮透析液供給ラインに設けられた一対のプランジャポンプと、上記並列の使用済透析液排出ラインに設けられた一対のプランジャポンプと、は、上記同期用モータの回転軸と直交する平面に対して鏡対称に配置されている。
【００１６】
これにより、一対のプランジャポンプ同士は位相が１８０度ずれた関係となる。したがって、一対のプランジャポンプ同士の位相を調整しなくても、血液浄化器への新鮮透析液の供給と血液浄化器からの使用済透析液の排出とを同時に行うことができる。
【００１７】
(6)  好ましくは、同期用モータと、上記同期用モータから駆動力を付与されて回転する第２ドライブ継ぎ手と、を更に備え、上記並列の使用済透析液排出ラインに設けられた一対のプランジャポンプは、上記第２ドライブ継ぎ手により上記同期用モータに接続されており、上記並列の使用済透析液排出ラインにそれぞれ設けられた一対のプランジャポンプのうちストロークが可変のプランジャポンプは、プランジャの軸が上記同期用モータの回転軸に対して傾斜する角度を調節可能なものである。
【００１８】
使用済透析液排出ラインに設けられたプランジャポンプのストロークの調節を、該プランジャポンプと同期用モータの回転軸との傾斜角度を調節することにより行うことができる。
【００１９】
(7)  好ましくは、上記プランジャの軸の傾斜角度を変化させる角度調節モータを更に具備する。
【００２０】
これにより、プランジャポンプが駆動されているときにもプランジャの軸の傾斜角度を調節することができる。
【発明の効果】
【００２１】
本発明によれば、透析液ラインに、新鮮透析液の供給と使用済透析液の排出とを同時に行い、血液浄化器に対して脈動の無い新鮮透析液を供給することができる。
【図面の簡単な説明】
【００２２】
【図１】図１は、本発明に係る血液浄化装置１０の構造を示す概略図である。
【図２】図２は、プランジャポンプ５１，５２，５３，５４の構造を示す平面図である。
【図３】図３は、プランジャポンプ５１，５２，５３，５４の構造を示す側面図である。
【図４】図４は、血液浄化装置１０の変形例を示す概略図である。
【図５】図５は、血液浄化装置１０の変形例を示す概略図である。
【発明を実施するための形態】
【００２３】
以下、本発明をさらに具体的にするために、本発明の実施態様について、図面を用いて説明する。
【００２４】
図１に示されるように、血液浄化装置１０は、血液浄化器１、血液浄化器１に接続された血液回路２、血液回路２において血流を発生させる血液ポンプ３、新鮮透析液供給ライン４１及び使用済透析液排出ライン４２を有する透析液ライン４、プランジャポンプ５１，５２，５３，５４、及び同期用モータ５を備える。
【００２５】
血液浄化器１は、血液及び透析液の流入用及び流出用の各ポートを備えた容器の内部に中空糸が充填されたものであり、血液の流入用及び流出用の各ポートを通じて血液が中空糸の内部空間を流通され、かつ透析液の流入用及び流出用の各ポートを通じて中空糸の外側に透析液が流通されることにより、血液の除水又は逆濾過を行うものである。
【００２６】
血液浄化器１の血液の流入用及び流出用の各ポートには、血液回路２が接続されている。血液回路２は、樹脂チューブなどからなる血液の流路を構成するものであり、患者の血管から流出した血液を血液浄化器１へ導き、また、血液浄化器１から流出した血液を患者の血管へ導くものである。血液回路２には、血液回路２において血流を発生させるための血液ポンプ３が設けられている。血液ポンプ３には、チューブポンプなどの公知のものが採用され得る。
【００２７】
血液浄化器１の透析液の流入用及び流出用の各ポートには、透析液ライン４が接続されている。透析液ライン４は、樹脂チューブなどからなる透析液の流路を構成するものである。血液浄化器１の流入用ポートには、新鮮透析液供給ライン４１が接続されており、流出用ポートには、使用済透析液排出ライン４２が接続されている。各図には現れていないが、新鮮透析液供給ライン４１の他方は、新鮮透析液が貯留されたタンクに接続されており、また、使用済透析液排出ライン４２の他方は、使用済透析液を貯留する廃タンクに接続されている。
【００２８】
新鮮透析液供給ライン４１において、血液浄化器１とタンク（不図示）との間のラインの一部分は、二手に分かれた並列構造である。この並列構造をなしている新鮮透析液供給ライン４１には、並列したラインのそれぞれにプランジャポンプ５１，５２が一対をなして配置されている。
【００２９】
一対のプランジャポンプ５１，５２は、同期用モータ５の回転軸５０から第１ドライブ継ぎ手６を介して回転が伝達されている。第１ドライブ継ぎ手６は、プランジャポンプ５１，５２の各プランジャ６１，６２の一端側とそれぞれ接続されている。各プランジャ６１，６２は、第１ドライブ継ぎ手６から駆動伝達されて、各シリンダ７１，７２内を往復動する。プランジャ６１，６２の軸方向は、第１ドライブ継ぎ手６の軸方向に対して傾斜（交差）している。プランジャ６１，６２の軸方向と、第１ドライブ継ぎ手６の軸方向との傾斜角度θによって、第１ドライブ継ぎ手６から駆動伝達されて往復動するプランジャ６１，６２のストロークが決定される。すなわち、傾斜角度θが大きければプランジャ６１，６２のストロークが大きくなり、傾斜角度θが小さければプランジャ６１，６２のストロークが小さくなる。
【００３０】
各シリンダ７１，７２には、内部空間に通じた一対のポートがそれぞれ設けられている。一対のポートは、シリンダ７１，７２の軸方向に対して１８０度異なる位置に、すなわち軸対称に配置されている。各図には詳細に現れていないが、プランジャ６１，６２は、各シリンダ７１，７２を液密に封止する円柱形状であり、その先端側（第１ドライブ継ぎ手６と接続されていない他端側）は、円柱形状のうち軸線を含む半分が切り欠かれている。この切り欠かれた部分がシリンダ７１，７２において回転することにより、シリンダ７１，７２の各一対のポートのうちの一方がプランジャ６１，６２によって封止され、他方が切り欠かれた部分によって開放される。
【００３１】
図１〜３に示されるように、一つのプランジャポンプ５１，５２は、同期用モータ５の回転軸５０と直交する平面（図１〜３の紙面と直交する平面）に対して鏡対称の構造をなしている。詳細には、図２，３に示されるように、同期用モータ５の回転軸５０と直交し、かつ第１ドライブ継ぎ手６の軸方向の中央を含む平面１０１に対して鏡対称の構造である。したがって、プランジャ６１，６２が第１ドライブ継ぎ手６に対して傾斜する角度や、シリンダ７１，７２の各ポートの位置などが鏡対称である。
【００３２】
これにより、プランジャポンプ５１，５２は、第１ドライブ継ぎ手６の回転に対して１８０度位相が異なる。つまり、プランジャポンプ５１が新鮮透析液の吐出を行っているときには、プランジャポンプ５２は新鮮透析液の吸い込みを行っており、また、プランジャポンプ５１が新鮮透析液の吸い込みを行っているときには、プランジャポンプ５２は新鮮透析液の吐出を行っている。これにより、一対のプランジャポンプ５１，５２は、プランジャポンプ５１による新鮮透析液の吐出と、プランジャポンプ５２による新鮮透析液の吐出と、を交互に連続して行う。
【００３３】
使用済透析液排出ライン４２において、血液浄化器１と廃タンク（不図示）との間のラインの一部分は、二手に分かれた並列構造である。この並列構造をなしている使用済透析液排出ライン４２には、並列したラインのそれぞれにプランジャポンプ５３，５４が一対をなして配置されている。
【００３４】
一対のプランジャポンプ５３，５４は、同期用モータ５の回転軸５０から第２ドライブ継ぎ手７を介して回転が伝達されている。第２ドライブ継ぎ手７は、プランジャポンプ５３，５４の各プランジャ６３，６４の一端側とそれぞれ接続されている。各プランジャ６３，６４は、第２ドライブ継ぎ手７から駆動伝達されて、各シリンダ７３，７４内を往復動する。プランジャ６３，６４の軸方向は、第２ドライブ継ぎ手７の軸方向に対して傾斜（交差）している。プランジャ６３，６４の軸方向と、第２ドライブ継ぎ手７の軸方向との傾斜角度θによって、第２ドライブ継ぎ手７から駆動伝達されて往復動するプランジャ６３，６４のストロークが決定される。すなわち、傾斜角度θが大きければプランジャ６３，６４のストロークが大きくなり、傾斜角度θが小さければプランジャ６３，６４のストロークが小さくなる。
【００３５】
各プランジャポンプ５１，５２，５３に各プランジャ６１，６２，６３は、第１ドライブ継ぎ手６又は第２ドライブ継ぎ手７に対する傾斜角度θが固定であるが、プランジャポンプ５４のプランジャ６４は、第２ドライブ継ぎ手７に対する傾斜角度θが可変である。プランジャ６４の傾斜角度θは、角度調節モータ８の駆動により調節される。
【００３６】
詳細には、第２ドライブ継ぎ手７にはベアリング軸受けが設けられており、このベアリング軸受けにはベアリングが装着されている。ベアリングには、それぞれ中央部分に貫通孔が設けられており、この貫通孔にはプランジャポンプ５３，５４のプランジャ６３，６４からそれぞれ延びる作用軸の一端が摺動自在に挿通されている。この作用軸は、その他端がプランジャ６３，６４の表面に垂直になるように固定されており、同期用モータ５の回転軸５０の回転は第２ドライブ継ぎ手７及び作用軸を介してプランジャ６３，６４へ伝達され、傾斜角度θに応じてストロークｄ１，ｄ２がプランジャポンプ５３，５４にそれぞれ生ずる。これにより、プランジャ６３，６４は、それぞれシリンダ７３，７４内を回転しながらストロークｄ１，ｄ２を往復動する。なお、第１ドライブ継ぎ手６からプランジャポンプ５１，５２への駆動伝達も同様である。
【００３７】
各シリンダ７３，７４には、内部空間に通じた一対のポートがそれぞれ設けられている。一対のポートは、シリンダ７３，７４の軸方向に対して１８０度異なる位置に、すなわち軸対称に配置されている。各図には詳細に現れていないが、プランジャ６３，６４は、各シリンダ７３，７４を液密に封止する円柱形状であり、その先端側（第２ドライブ継ぎ手７と接続されていない他端側）は、円柱形状のうち軸線を含む半分が切り欠かれている。この切り欠かれた部分がシリンダ７３，７４において回転することにより、シリンダ７３，７４の各一対のポートのうちの一方がプランジャ６３，６４によって封止され、他方が切り欠かれた部分によって開放される。
【００３８】
図１〜３に示されるように、一つのプランジャポンプ５３，５４は、同期用モータ５の回転軸５０と直交する平面（図１〜３の紙面と直交する平面）に対して鏡対称の構造をなしている。詳細には、図２，３に示されるように、同期用モータ５の回転軸５０と直交し、かつ第２ドライブ継ぎ手７の軸方向の中央を含む平面１０２に対して鏡対称の構造である。したがって、プランジャ６３，６４が第２ドライブ継ぎ手７に対して傾斜する角度や、シリンダ７３，７４の各ポートの位置などが鏡対称である。
【００３９】
これにより、プランジャポンプ５３，５４は、第２ドライブ継ぎ手７の回転に対して１８０度位相が異なる。つまり、プランジャポンプ５３が使用済透析液の吸い込みを行っているときには、プランジャポンプ５４は使用済透析液の吐出を行っており、また、プランジャポンプ５３が使用済透析液の吐出を行っているときには、プランジャポンプ５４は使用済透析液の吸い込みを行っている。これにより、一対のプランジャポンプ５３，５４は、プランジャポンプ５３による使用済透析液の吸い込みと、プランジャポンプ５４による使用済透析液の吸い込みと、を交互に連続して行う。
【００４０】
図１〜３に示されるように、一対のプランジャポンプ５１，５２と、一対のプランジャポンプ５３，５４とは、同期用モータ５の回転軸５０と直交する平面（図１〜３の紙面と直交する平面）に対して鏡対称の構造をなしている。詳細には、図２，３に示されるように、同期用モータ５の回転軸５０の中央を含む平面１０３に対して鏡対称の構造である。したがって、プランジャポンプ５１，５２による血液浄化器１への新鮮透析液の供給と、プランジャポンプ５３，５４による血液浄化器１からの使用済透析液の排出とは、同時に同期して行われる。これにより、プランジャポンプ５１，５２による血液浄化器１への新鮮透析液の供給における透析液の脈動と、プランジャポンプ５３，５４による血液浄化器１からの使用済透析液の排出における透析液の脈動とが、位相を同じくして同期する。
【００４１】
また、プランジャポンプ５１，５２，５３，５４のシリンダ７１，７２，７３，７４の容量やプランジャ６１，６２，６３，６４の構造は同等であるので、各プランジャ６１，６２，６３，６４の傾斜角度θが同じであれば、各プランジャポンプ５１，５２，５３，５４による新鮮透析液の吐出量又は使用済透析液の吸い込み量は同じになる。しかし、プランジャポンプ５４のプランジャ６４のストロークｄ２が可変にされることによって、プランジャポンプ５４による１ストロークｄ２当たりの使用済透析液の吸い込み量を、他のプランジャポンプ５１，５２，５３による新鮮透析液の吐出量又は使用済透析液の吸い込み量に対して異なるように変化させることができる。したがって、プランジャポンプ５４のストロークｄ２を新鮮透析液吐出側のプランジャ６１，６２のストロークｄ１より大きくすれば、血液浄化器１において血液の除水を行うことができ、ストロークｄ２をストロークｄ１より小さくすれば血液浄化器１において血液の逆濾過を行うことができる。
【００４２】
［本実施形態の作用効果］
本実施形態によれば、並列された新鮮透析液供給ライン４１に設けられた一対のプランジャポンプ５１，５２において、プランジャポンプ５１からの新鮮透析液の吐出と、プランジャポンプ５２からの新鮮透析液の吐出とが交互に連続して行われ、また、並列された使用済透析液排出ライン４２の一対のプランジャポンプ５３，５４において、プランジャポンプ５３への使用済透析液の吸込みと、プランジャポンプ５４への使用済透析液の吸込みとが交互に連続して行われ、かつ新鮮透析液の吐出と使用済透析液の吸込とが同時に起こるように同期されているので、血液浄化器１への新鮮透析液の供給と、血液浄化器１からの使用済透析液の排出とが同時に行われる。これにより、血液浄化器１に対して、脈動の無い新鮮透析液が供給される。
【００４３】
また、並列された使用済透析液排出ライン４２の一対のプランジャポンプ５３，５４のうちプランジャポンプ５４のストロークｄ２が可変にされているので、新鮮透析液供給ライン４１に設けられたプランジャポンプ５１，５２のストロークｄ１より、使用済透析液排出ライン４２に設けられたプランジャポンプ５４のストロークｄ２が小さくなるように調節すれば、血液浄化器１において血液の逆濾過を行うことができる。また、新鮮透析液供給ライン４１に設けられたプランジャポンプ５１，５２のストロークｄ１より、使用済透析液排出ラインに設けられたプランジャポンプ５４のストロークｄ２が大きくなるように調節すれば、血液浄化器１において血液の除水を行うことができる。
【００４４】
また、一対のプランジャポンプ５１，５２が、同期用モータ５の回転軸５０と直交する平面１０１に関して鏡対称に配設され、同期用モータ５の回転軸５０と第１ドライブ継ぎ手６を介してそれぞれ接続されているので、一対のプランジャポンプ５１，５２は位相が１８０度ずれた関係となる。したがって、一対のプランジャポンプ５１，５２の位相を調整しなくても、血液浄化器１への新鮮透析液の供給を連続して交互に行うことができる。
【００４５】
また、一対のプランジャポンプ５３，５４が、同期用モータ５の回転軸５０と直交する平面１０２に関して鏡対称に配設され、同期用モータ５の回転軸５０と第２ドライブ継ぎ手７を介してそれぞれ接続されているので、一対のプランジャポンプ５３，５４は位相が１８０度ずれた関係となる。したがって、一対のプランジャポンプ５３，５４の位相を調整しなくても、血液浄化器１からの使用済透析液の排出を連続して交互に行うことができる。
【００４６】
また、新鮮透析液供給ライン４１に設けられた一対のプランジャポンプ５１，５２と、使用済透析液排出ライン４２に設けられた一対のプランジャポンプ５３，５４と、は、同期用モータ５の回転軸５０と直交する平面１０３に対して鏡対称に配置されているので、一対のプランジャポンプ５１，５２と一対のプランジャポンプ５３，５４同士は位相が１８０度ずれた関係となる。したがって、一対のプランジャポンプ５１，５２と一対のプランジャポンプ５３，５４同士の位相を調整しなくても、血液浄化器１への新鮮透析液の供給と血液浄化器からの使用済透析液の排出とを同時に行うことができる。
【００４７】
また、使用済透析液排出ライン４２に設けられたプランジャポンプ５４のストロークｄ２の調節を、傾斜角度θの調節によって行うことができるので、プランジャポンプ５４のストロークｄ２を新鮮透析液吐出側のプランジャ６１，６２のストロークｄ１より大きくすれば、血液浄化器１において血液の除水を行うことができ、ストロークｄ２をストロークｄ１より小さくすれば血液浄化器１において血液の逆濾過を行うことができる。
【００４８】
［変形例］
なお、前述された実施形態では、新鮮透析液供給ライン４１に設けられた一対のプランジャポンプ５１，５２と、使用済透析液排出ライン４２に設けられた一対のプランジャポンプ５３，５４と、が、同期用モータ５の回転軸５０と直交する平面１０３に対して鏡対称に配置されているが、必ずしも鏡対称でなくとも、一対のプランジャポンプ５１，５２と一対のプランジャポンプ５３，５４同士は位相が１８０度ずれた関係にすることができる。
【００４９】
例えば、図４，５に示されるように、第１ドライブ継ぎ手６及び第２ドライブ継ぎ手７が一つの回転軸線上に配置されておらず、同期用モータ５の回転軸５０に対してそれぞれが異なる位置へオフセットして配置されているが、第１ドライブ継ぎ手６及び第２ドライブ継ぎ手７が一つの回転軸線上に配置されれば、平面１０３に対して鏡対称となる配置であっても、一対のプランジャポンプ５１，５２と一対のプランジャポンプ５３，５４同士の位相を調整しなくても、血液浄化器１への新鮮透析液の供給と血液浄化器からの使用済透析液の排出とを同時に行うことができる。また、一対のプランジャポンプ５１，５２と一対のプランジャポンプ５３，５４とを同期用モータ５の回転軸５０に沿って直列に配置せずに、並列に配置できるので、血液浄化装置１０の小型化が実現できる。特に、図５に示されるように、一対のプランジャポンプ５１，５２と一対のプランジャポンプ５３，５４とが完全に並列に配置されることによって、血液浄化装置１０の小型化への寄与が顕著になる。
【符号の説明】
【００５０】
１  血液浄化器
２  血液回路
３  血液ポンプ
４  透析液ライン
５  同期用モータ
６  第１ドライブ継ぎ手
７  第２ドライブ継ぎ手
８  角度調節モータ
１０  血液浄化装置
４１  新鮮透析液供給ライン
４２  使用済透析液排出ライン
５０  回転軸
５１，５２，５３，５４  プランジャポンプ
６１，６２，６３，６４  プランジャ
７１，７２，７３，７４  シリンダ
【図１】
2015217027.tif 000003
【図２】
2015217027.tif 000004
【図３】
2015217027.tif 000005
【図４】
2015217027.tif 000006
【図５】
2015217027.tif 000007